(57)【要約】【課題】使用場所をコンセント位置に制限されないハンディー式とした上で、さらに洗う食器等の径、深さなどの形状に合わせて洗浄部を容易に交換できる食器洗浄器を提供する。【解決手段】電池で回転軸が回転するモーターと、前記モーター及び電池を収納するとともに前記モーターの回転をオンオフ制御するスイッチを備えた把持部となるケースと、前記モーターの回転軸に接続する嵌着部と嵌着部に連設する棒部と棒部に取り付けた洗浄部を備えた回転体とからなり、前記洗浄部中心の回転軌道が、前記モーターの回転軸中心の外側にあることを特徴とするハンディー式食器洗浄器の構成とした。【選択図】図１
0003178966.tif 000002
【実用新案登録請求の範囲】
【請求項１】
電池で回転軸が回転するモーターと、前記モーター及び電池を収納するとともに前記モーターの回転をオンオフ制御するスイッチを備えた把持部となるケースと、前記モーターの回転軸に接続する嵌着部と嵌着部に連設する棒部と棒部に取り付けた洗浄部を備えた回転体とからなり、前記洗浄部中心の回転軌道が、前記モーターの回転軸中心の外側にあることを特徴とするハンディー式食器洗浄器。
【請求項２】
前記モーターの回転軸と前記嵌着部の接続に際し、前記モーターの回転軸に嵌着するアダプターを用い、前記モーターの回転軸とアダプターの中心を偏心して嵌着させ、前記アダプターに前記回転体の嵌着部を嵌めることを特徴とする請求項１に記載のハンディー式食器洗浄器。
【考案の詳細な説明】
【技術分野】
【０００１】
本考案は、使用場所をコンセント位置に制限されず、洗浄部の回転で食器を洗浄するハンディー式食器洗浄器に関する。
【背景技術】
【０００２】
食器洗浄機として特許文献１の回転ブラシ食器洗い機が公開されている。特許文献１の回転ブラシ食器洗い機は、従来、食器を洗うには、スポンジ、ブラシ等を使用し手で洗っていたので、たくさん洗うときは時間がかかり不便だったため、また底の深いコップなどは洗いにくかったことから、モーターを使用し回転ブラシを回転させて、それに食器を押しあてて洗浄する回転ブラシ食器洗い機としたもので、またモーターケーシング部を取り付け取り外し型か、シンク内蔵型にするというものである。
【０００３】
しかしながら、ブラシを取り付ける構造が示されておらず、洗浄するコップ等の形状に併せて、洗浄部を取り替えることがなく、シンクなどに固定式で、かつ回転ブラシの駆動は商用電源であるため作業場所の制限があり、作業性が必ずしもよくなく、また汎用性が低いものであった。  
【先行技術文献】
【特許文献】
【０００４】
【特許文献１】特開平１０−３０９２５３９号公報
【考案の概要】
【考案が解決しようとする課題】
【０００５】
そこで、本考案は、使用場所をコンセント位置に制限されないハンディー式とした上で、さらに洗う食器等の径、深さなどの形状に合わせて洗浄部を容易に交換できる食器洗浄器を提供することを目的とする。
【課題を解決するための手段】
【０００６】
本考案は、上記の課題を解決するために、
（１）
電池で回転軸が回転するモーターと、前記モーター及び電池を収納するとともに前記モーターの回転をオンオフ制御するスイッチを備えた把持部となるケースと、前記モーターの回転軸に接続する嵌着部と嵌着部に連設する棒部と棒部に取り付けた洗浄部を備えた回転体とからなり、前記洗浄部中心の回転軌道が、前記モーターの回転軸中心の外側にあることを特徴とするハンディー式食器洗浄器の構成とした。
（２）
前記モーターの回転軸と前記嵌着部の接続に際し、前記モーターの回転軸に嵌着するアダプターを用い、前記モーターの回転軸とアダプターの中心を偏心して嵌着させ、前記アダプターに前記回転体の嵌着部を嵌めることを特徴とする請求項１に記載のハンディー式食器洗浄器の構成とした。
【考案の効果】
【０００７】
本考案は、以上の構成であるため、電池により洗浄部が回転駆動するので使用場所の制限がなく、回転式であるので洗浄時間が短縮でき、洗い残しがなくきれいに洗浄でき上、水跳ねが少なく衛星的で、洗浄作業性が良い。したがって、腰などが疲れず、手が荒れず、皮膚にやさしく、水量、洗剤の使用料が少なく経済的である。さらに、洗浄部の着脱交換が容易で、洗浄中に洗浄部が脱落することがなく、汎用性が極めて高い。
【０００８】
食器等としては、家庭、業務用の一般的な食器全般が例示できる。本発明の使用は、特に、コップ、グラス、湯飲み、カップ、ビン、ペットボトル、ポット、保温ポットなど円筒形で深さがある容器、食器に最適である。その他、鍋、備品の洗浄に使用できる。
【０００９】
取り分け、少量・他品種の食器等を洗浄する家庭用台所に向き、主婦の台所就業の改善に役立つ。また、食器洗いに不慣れな男性にも好適である。
【図面の簡単な説明】
【００１０】
【図１】本考案であるハンディー式食器洗浄器の斜視模式図である。
【図２】本考案であるハンディー式食器洗浄器の部分断面模式図（Ａ）、洗浄部の回転軌道（Ｂ）である。
【図３】アダプターの説明図であり、（Ａ）が側面、（Ｂ）が図４Ａ−Ａ断面図である。
【図４】モーター軸と洗浄部とを接続するアダプター及び嵌着部の斜視模式図である。
【図５】本考案であるハンディー式食器洗浄器の第２実施形態の部分断面図模式図（Ａ）、洗浄部の回転軌道（Ｂ）である。
【図６】本考案であるハンディー式食器洗浄器の第３の実施形態の部分断面模式図（Ａ）、洗浄部の回転軌道（Ｂ）である。
【図７】本考案であるハンディー式食器洗浄器の第４の実施形態の部分断面模式図（Ａ）、洗浄部の回転軌道（Ｂ）である。
【考案を実施するための形態】
【００１１】
以下、添付の図面を参照し、本考案の実施の形態について、詳細に説明する。
【実施例１】
【００１２】
図１、２に示すように、本考案であるハンディー式食器洗浄器１は、モーター２と、電池３と、ケース４と、アダプター５と、回転体６とからなる。
【００１３】
図２に示すように、モーター２は、電池３で駆動する。モーター２及び電池３はケース４に収納される。モーター２の回転軸２ａは、ケース４から突出し、モーター２の駆動で回転し、ケース４外面に設けられたスイッチ７ｄで回転がオンオフ制御される。そして、回転軸２ａの回転で、回転体６を回転させ、食器を洗浄する。
【００１４】
ケース４は、モーター２及び電池３を収納するとともに一端にモーター２の回転軸２ａが突出する収納部４ａと、他端を塞ぐ蓋４ｂとからなる。蓋４ｂには、ハンディー式食器洗浄器１を収納、保管に便利なようにフックなどに係止する係止部８を備える。本発明は、電池３をケース４内に収納することで、コンセントから電気の供給を受ける必要がなく、使用場所の制限がないハンディー式となる。
【００１５】
ケース４の内部には、図２に示すように、モーター２と電池３を電気的に接続する回路７がある。回路７は、モーター２と電池３を、金属板７ａ、コイル７ｂ、スイッチ７ｄを介して導線７ｃで、直列に電気的に接続する。導線７ｃの接続、スイッチ７ｄは、モーター回路の常套手段を採用することができる。
【００１６】
ケース４にモーター２及び電池３を収納するため、また本発明が食器洗浄用途であるため、ケース４は防水手段を施すことが好ましい。また、ケース４の形状は、ここでは円筒形としたが、ケース４は食器洗浄時に手で握る場所となるため、把持し易い形状に適宜変更するとよい。
【００１７】
アダプター５は、図２〜図４に示すように、側面視略逆円錐台で、上面にモーター２の回転軸２ａの回転中心と偏心して嵌着する四角柱形の溝５ａが穿設される。回転軸２ａも四角形とすることで、回転軸２ａが空回りすることがない。
【００１８】
その他、回転軸２ａとアダプター５の接続として、回転軸２ａの空回りを防止する形状、手段を採用することができる。例えば、回転軸２ａ及び溝５ａを同形状の多角形にすること、回転軸２ａが円柱であっても回転方向と逆無機の逆ネジによる螺着或いは回転軸２ａ径よりアダプター５の溝５ａの径を小さくして空回りしないようにきつく嵌めて接続することが例示できる。また、モーター２の回転軸２ａとアダプター５の溝５ａを接着剤などで固着させてもよい。
【００１９】
アダプター５側面には、図３（Ａ）に示すように、凹部５ｂが側面一周にわたって設けられるとともに、縦方向にも縦溝５ｄが設けられる。凹部５ｂは回転体６の脱落を防止し、縦溝５ｄは回転体６の横方向の空回りを防止する。
【００２０】
アダプター５の下端径は、回転体６の開口６ｇと略同径とし、上端径は開口６ｇより大きくする。その結果、図３（Ｂ）に示すテーパー５ｃとなり、回転体６の挿入、嵌着が容易になる。
【００２１】
回転体６は、アダプター５に嵌着する嵌着部６ａと嵌着部６ａに連設する棒部６ｂと棒部６ｂに取り付けた洗浄部６ｃからなる。
【００２２】
嵌着部６ａは、図２、図４に示すように、上端が開口６ｇし、開口６ｇ縁には内側に屈曲した爪６ｄ、側面にスリット６ｅが設けられ、アダプター５の側面外周を覆うように、接触してアダプター５に嵌る。嵌着部６ａの内面には、アダプター５の凹部５ｂ及び縦溝５ｄに嵌る凸条６ｆ、縦凸条６ｉが設けられている。
【００２３】
開口６ｇの径は、アダプター５の底面の径と略同径で、アダプター５の下端に開口６ｇを嵌め、アダプター５の上面に向け嵌着部６ａを押し込む。嵌着部６ａにはスリット６ｅがあるため嵌着部６ａは径を広めながらアダプター５のテーパー５ｃに沿って上に容易に押し上げられる。嵌着部６ａ端部が、アダプター５の上端に位置したとき嵌着部６ａの爪６ｄがアダプター５の上面に係止され、食器洗浄中に嵌着部６ａの脱落を防止する。嵌着部６ａをアダプター５から外すときは、スリット６ｅを広げる方向に力を掛けることで、嵌着部６ａをアダプター５から脱離することができる。
【００２４】
棒部６ｂは、嵌着部６ａに連設される。嵌着部６ａから逆ネジなどで着脱式としてもよい（接合部６ｋ）。食器の形状に合わせて、棒部６ｂの長さを複数種類備えると、汎用性が高い。食器の径が大きいときは、棒部６ｂ及び洗浄部６ｃの中心（図２一点鎖線）を、回転軸２ａの回転中心（図２破線）とアダプター５の中心に対して点対称の位置方向で嵌着部６ａに連設される。これにより、洗浄部６ｃは、一層大きい回転軌道６ｈを描き、径の大きい食器であっても洗浄が容易になる。
【００２５】
洗浄部６ｃは、食器に当接して汚れを擦る部分で、ブラシ、スポンジ、その他食器及びその洗浄に適した素材、形状を選択することができる。洗浄部６ｃは、棒部６ｂに固定されていても、着脱式としてもよい。
【００２６】
モーター２の回転軸２ａとアダプター５の嵌着を、回転軸２ａの回転中心（図２破線）とアダプター５の中心（図２一点鎖線）とが偏心させて嵌着させ、さらに棒部６ｂ及び洗浄部６ｃの中心を、回転軸２ａの回転中心とアダプター５の中心に対して点対称の位置に設けることで、図１（Ｂ）に示すように、洗浄部６ｃの底面はドーナツ状の回転軌道６ｈを描く。それにより、コップなどの食器を側面に沿って洗浄することができ、洗浄性が高い。
【００２７】
洗浄部６ｃを交換するときは、回転体６を交換しても、洗浄部６ｃのみを交換してもよい。食器径、深さ、素材に適した形状の異なる回転体６或いは洗浄部６ｃを複数用意する。回転体及び洗浄部の組み合わせにより、多種多様な形状、素材の回転体６を作ることができる。
【実施例２】
【００２８】
図５に、本考案であるハンディー式食品洗浄器１０の第２の実施形態を示した。ハンディー式食品洗浄器１０は、実施例１のハンディー式食品洗浄器１とモーター２の回転軸２ａと回転体の接続及び、回転体が異なる。
【００２９】
即ち、回転体１１は、モーター２の回転軸２ａにアダプター５を介することなく、直接接続する。接続手段は、実施例１のモーター２の回転軸２ａとアダプター５の接続手段と同様でよい。アダプター５の溝５ａに変えて嵌着部１１ａの溝１１ｂとすればよい。
【００３０】
嵌着部１１ａ及び回転体１１とモーター２の回転軸２ａの接続をこのような構成にすることで、食器形状に合わせて、極めて簡易に棒部６ｂ、洗浄部６ｃを交換できる。
【実施例３】
【００３１】
図６に、本考案であるハンディー式食品洗浄器１２の第３の実施形態を示した。ハンディー式食品洗浄器１２は、実施例２のハンディー式食品洗浄器１０と回転体の棒部の形状が異なる。
【００３２】
即ち、回転体１３は、屈曲した（屈曲部１３ｂ）棒部１３ａが、嵌着部１１ａに接続する。屈曲部１３ｂは肉厚に形成すると、洗浄部６ｃを強く食器に当接しても変形しない。
【００３３】
棒部１３ａをこのような構成にすることで、図６（Ｂ）に示すように、回転軌道１３ｃの径を実施例１、２に比べて大きくすることができる。洗浄する食器の形状に併せて、最適な棒部を選択することで、一層の洗浄性、作業性の向上を図れる。
【実施例４】
【００３４】
図７に、本考案であるハンディー式食品洗浄器１４の第４の実施形態を示した。ハンディー式食品洗浄器１４は、実施例２のハンディー式食品洗浄器１０と回転体の棒部の形状が異なる。
【００３５】
即ち、回転体１５は、屈曲した（屈曲部１５ｂ）棒部１５ａが、嵌着部１１ａに接続する。屈曲部１５ｂは、実施例３に比べ洗浄部６ｃ側に位置する。嵌着部１１ａは、外側に回転体１５の取付部１１ｃを備える。回転体１５の嵌着部１１ａ取付位置を変更することで、洗浄部６ｃの回転軌道を食器の形状に合わせて変更することができる。
【００３６】
回転体１５をこのような構成にすることで、図７（Ｂ）に示すように、回転軌道１５ｃを描く。例えば、広口ビンなど、ビンの首部が長く胴部が幅広の食器に特に有効である。また、棒部１５ａの洗浄部６ｃを取り付ける位置には突起１５ｄを設け、洗浄部６ｃの脱落を防止するとよい。さらに、洗浄部６ｃは決まった一側面が食器に当接し、痛みやすい。その場合には、洗浄部６ｃを棒部１５ａから取り外し回転させてまた棒部１５ａの先端部に嵌めることで、同じ洗浄部６ｃを長時間使用することができる。
【符号の説明】
【００３７】
１      ハンディー式食器洗浄器
２      モーター
２ａ    回転軸
３      電池
４      ケース
４ａ    収納部
４ｂ    蓋
５      アダプター
５ａ    溝
５ｂ    凹部
５ｃ    テーパー
５ｄ    縦溝
６      回転体
６ａ    嵌着部
６ｂ    棒部
６ｃ    洗浄部
６ｄ    爪  
６ｅ    スリット
６ｆ    凸条
６ｇ    開口
６ｈ    回転軌道
６ｉ    縦凸条
７      回路
７ａ    金属板
７ｂ    コイル
７ｃ    導線
７ｄ    スイッチ
８      係止部
１０    ハンディー式食器洗浄器
１１    回転体
１１ａ  嵌着部
１１ｂ  溝
１１ｃ  取付部
１２    ハンディー式食器洗浄器
１３    回転体
１３ａ  棒部
１３ｂ  屈曲部
１３ｃ  回転軌道
１４    ハンディー式食器洗浄器
１５    回転体
１５ａ  棒部
１５ｂ  屈曲部
１５ｃ  回転軌道
【図１】
0003178966.tif 000003
【図２】
0003178966.tif 000004
【図３】
0003178966.tif 000005
【図４】
0003178966.tif 000006
【図５】
0003178966.tif 000007
【図６】
0003178966.tif 000008
【図７】
0003178966.tif 000009